(57)【要約】【課題】医用画像の収集に用いる検査プロトコルを適切に評価することができる医用画像診断装置を提供すること。【解決手段】実施形態の医用画像診断装置は、抽出部と、算出部と、記憶部と、受付部と、取得部と、表示制御部とを備える。抽出部は、取得した医用画像において、対象部位に対応する領域を抽出する。算出部は、前記医用画像について、前記領域の評価値を算出する。記憶部は、前記評価値と、前記医用画像の収集に用いられた検査プロトコルとを対応付けて記憶する。受付部は、所定の検索条件の入力を受け付ける。取得部は、前記記憶部が記憶する前記評価値及び前記検査プロトコルのうち、入力された検索条件を満たす前記評価値及び前記検査プロトコルを取得する。表示制御部は、前記取得部が取得した前記評価値及び前記検査プロトコルを対応付けて表示させる。【選択図】図１
2018064715.tif 000002
【特許請求の範囲】
【請求項１】
取得した医用画像において、対象部位に対応する領域を抽出する抽出部と、
前記医用画像について、前記領域の評価値を算出する算出部と、
前記評価値と、前記医用画像の収集に用いられた検査プロトコルとを対応付けて記憶する記憶部と、
所定の検索条件の入力を受け付ける受付部と、
前記記憶部が記憶する前記評価値及び前記検査プロトコルのうち、入力された検索条件を満たす前記評価値及び前記検査プロトコルを取得する取得部と、
前記取得部が取得した前記評価値及び前記検査プロトコルを対応付けて表示させる表示制御部と、
を備える、医用画像診断装置。
【請求項２】
前記評価値は、前記領域の画質に係る値である、請求項１に記載の医用画像診断装置。
【請求項３】
前記抽出部は、前記医用画像に含まれる解剖学的な特徴点の位置を特定し、特定した前記特徴点の位置に基づいて、前記領域を抽出する、請求項１又は２に記載の医用画像診断装置。
【請求項４】
前記表示制御部は、前記取得部が取得した前記評価値及び前記検査プロトコルを、前記評価値に応じた順序で表示させる、請求項１乃至３のいずれか一項に記載の医用画像診断装置。
【請求項５】
前記医用画像は、Ｘ線を用いて収集された画像データであり、
前記記憶部は、更に、前記Ｘ線による被ばくの程度を表す指標値を、前記評価値及び前記検査プロトコルと対応付けて記憶し、
前記取得部は、更に、入力された検索条件を満たす前記指標値を取得し、
前記表示制御部は、更に、前記取得部が取得した前記指標値を、前記評価値及び前記検査プロトコルに対応付けて表示させる、請求項１乃至４のいずれか一項に記載の医用画像診断装置。
【請求項６】
前記記憶部は、更に、前記医用画像の再構成時間を、前記評価値及び前記検査プロトコルと対応付けて記憶し、
前記取得部は、更に、入力された検索条件を満たす前記再構成時間を取得し、
前記表示制御部は、前記取得部が取得した前記再構成時間を、前記評価値及び前記検査プロトコルに対応付けて表示させる、請求項１乃至５のいずれか一項に記載の医用画像診断装置。
【請求項７】
前記記憶部は、更に、前記医用画像の患者情報を、前記評価値及び前記検査プロトコルと対応付けて記憶し、
前記取得部は、更に、入力された検索条件を満たす前記患者情報を取得し、
前記表示制御部は、更に、前記取得部が取得した前記患者情報を、前記評価値及び前記検査プロトコルに対応付けて表示させる、請求項１乃至６のいずれか一項に記載の医用画像診断装置。
【請求項８】
前記記憶部は、更に、前記医用画像を、前記評価値及び前記検査プロトコルと対応付けて記憶し、
前記表示制御部は、更に、前記医用画像を、前記評価値及び前記検査プロトコルに対応付けて表示させる、請求項１乃至７のいずれか一項に記載の医用画像診断装置。
【請求項９】
前記受付部は、更に、前記表示制御部が前記評価値と対応付けて表示させた前記検査プロトコルのうち少なくとも一つを選択する選択操作を受け付け、
前記取得部は、更に、選択された前記検査プロトコルに係る複数の前記評価値を取得し、
前記表示制御部は、更に、前記取得部が取得した複数の前記評価値を、前記検査プロトコルごとにグラフ表示させる、請求項１乃至８のいずれか一項に記載の医用画像診断装置。
【請求項１０】
取得した医用画像において、対象部位に対応する領域を抽出する抽出部と、
前記医用画像について、前記領域の評価値を算出する算出部と、
前記評価値と、前記医用画像の収集に用いられた検査プロトコルとを対応付けて記憶する記憶部と、
前記検査プロトコルのうち少なくとも一つを選択する選択操作を受け付ける受付部と、
選択された前記検査プロトコルに係る複数の前記評価値を取得する取得部と、
前記取得部が取得した複数の前記評価値を、前記検査プロトコルごとにグラフ表示させる表示制御部と、
を備える、医用画像診断装置。
【発明の詳細な説明】
【技術分野】
【０００１】
本発明の実施形態は、医用画像診断装置に関する。
【背景技術】
【０００２】
医用画像診断装置を用いた検査では、検査の対象となる部位や病変等に応じた条件において、医用画像を収集する。例えば、Ｘ線ＣＴ（Ｃｏｍｐｕｔｅｄ  Ｔｏｍｏｇｒａｐｈｙ）装置を用いた検査では、部位や病変等に応じ、管電圧や管電流、曝射時間などの種々の撮影条件、及び、再構成アルゴリズムや画像フィルタなどの種々の画像処理プロトコルを設定して、ＣＴ画像データを収集する。なお、以下では、撮影条件や画像処理プロトコルなど、医用画像の収集に用いる種々の条件を検査プロトコルとも記載する。
【先行技術文献】
【特許文献】
【０００３】
【特許文献１】特開２００４−１０５４３７号公報
【発明の概要】
【発明が解決しようとする課題】
【０００４】
本発明が解決しようとする課題は、医用画像の収集に用いる検査プロトコルを適切に評価することができる医用画像診断装置を提供することである。
【課題を解決するための手段】
【０００５】
実施形態の医用画像診断装置は、抽出部と、算出部と、記憶部と、受付部と、取得部と、表示制御部とを備える。抽出部は、取得した医用画像において、対象部位に対応する領域を抽出する。算出部は、前記医用画像について、前記領域の評価値を算出する。記憶部は、前記評価値と、前記医用画像の収集に用いられた検査プロトコルとを対応付けて記憶する。受付部は、所定の検索条件の入力を受け付ける。取得部は、前記記憶部が記憶する前記評価値及び前記検査プロトコルのうち、入力された検索条件を満たす前記評価値及び前記検査プロトコルを取得する。表示制御部は、前記取得部が取得した前記評価値及び前記検査プロトコルを対応付けて表示させる。
【図面の簡単な説明】
【０００６】
【図１】図１は、第１の実施形態に係るＸ線ＣＴ装置の一例を示す図である。
【図２】図２は、第１の実施形態に係る評価値及び検査プロトコルの表示例を示す図である。
【図３】図３は、第１の実施形態に係るＸ線ＣＴ装置の処理の一連の流れを説明するためのフローチャートである。
【図４】図４は、第１の実施形態に係る評価値及び検査プロトコルの対応付けの一連の流れを説明するためのフローチャートである。
【図５】図５は、第１の実施形態に係る評価値及び検査プロトコルの表示の一連の流れを説明するためのフローチャートである。
【図６】図６は、第２の実施形態に係る表示例を示す図である。
【図７】図７は、第３の実施形態に係る表示例を示す図である。
【図８】図８は、第３の実施形態に係る表示例を示す図である。
【図９】図９は、第３の実施形態に係るＸ線ＣＴ装置の処理の一連の流れを説明するためのフローチャートである。
【発明を実施するための形態】
【０００７】
以下、図面を参照して、実施形態に係る医用画像診断装置を説明する。なお、以下では、実施形態に係る医用画像診断装置の一例として、Ｘ線ＣＴ装置について説明する。また、以下では、実施形態に係る医用画像の一例として、ＣＴ画像データについて説明する。
【０００８】
（第１の実施形態）
まず、図１を用いて第１の実施形態に係るＸ線ＣＴ装置の一例を説明する。図１は、第１の実施形態に係るＸ線ＣＴ装置の一例を示す図である。図１に示すように、第１の実施形態に係るＸ線ＣＴ装置１００は、架台１１０と、寝台装置１２０と、コンソール１３０とを備える。
【０００９】
架台１１０は、被検体ＰにＸ線を照射し、被検体Ｐを透過したＸ線を検出して、コンソール１３０に出力する装置であり、Ｘ線照射制御回路１１１と、Ｘ線管１１２と、ウェッジ１１３と、コリメータ１１４と、検出器１１５と、データ収集回路（ＤＡＳ：Data  Acquisition  System）１１６と、回転フレーム１１７と、架台駆動回路１１８とを有する。
【００１０】
回転フレーム１１７は、Ｘ線管１１２、ウェッジ１１３及びコリメータ１１４と、検出器１１５とを被検体Ｐを挟んで対向するように支持し、架台駆動回路１１８によって被検体Ｐを中心とした円軌道にて高速に回転する円環状のフレームである。
【００１１】
Ｘ線照射制御回路１１１は、図示しない高電圧発生器を制御して、Ｘ線管１１２に高電圧を供給する。ここで、Ｘ線照射制御回路１１１は、スキャン制御回路１３３による制御の下、Ｘ線管１１２に供給する管電圧や管電流を調整することで、被検体Ｐに対して照射されるＸ線量を調整する。また、Ｘ線照射制御回路１１１は、ウェッジ１１３の切り替えを行う。また、Ｘ線照射制御回路１１１は、コリメータ１１４の開口度を調整することにより、Ｘ線の照射範囲（ファン角やコーン角）を調整する。例えば、Ｘ線照射制御回路１１１は、ウェッジ１１３やコリメータ１１４を制御することにより、被ばく量を低減したい特定の部位（例えば、水晶体や甲状腺など）に対するＸ線の照射を制限する補正処理を実行することができる。
【００１２】
Ｘ線管１１２は、Ｘ線照射制御回路１１１による制御のもと図示しない高電圧発生器から供給される高電圧を用いてＸ線を発生する真空管であり、回転フレーム１１７の回転にともなって、Ｘ線ビームを被検体Ｐに対して照射する。
【００１３】
ウェッジ１１３は、Ｘ線照射制御回路１１１の制御により、Ｘ線管１１２から曝射されたＸ線のＸ線量を調節するためのＸ線フィルタである。具体的には、ウェッジ１１３は、Ｘ線管１１２から被検体Ｐへ照射されるＸ線が、予め定められた分布になるように、Ｘ線管１１２から曝射されたＸ線を透過して減衰するフィルタである。なお、ウェッジ１１３は、ウェッジフィルタ（wedge  filter）や、ボウタイフィルタ（bow-tie  filter）とも呼ばれる。
【００１４】
コリメータ１１４は、Ｘ線照射制御回路１１１の制御により、ウェッジ１１３によってＸ線量が調節されたＸ線の照射範囲を絞り込むためのスリットである。例えば、コリメータ１１４は、スライド可能な４枚の絞り羽根を有する。コリメータ１１４は、Ｘ線照射制御回路１１１による制御の下、これらの絞り羽根をスライドさせることで、Ｘ線管１１２が発生したＸ線を絞り込んで被検体Ｐに照射させる。なお、絞り羽根は、鉛や銅などで構成された板状部材であり、Ｘ線の照射範囲を調整するためにＸ線管１１２のＸ線照射口付近に設けられる。
【００１５】
架台駆動回路１１８は、回転フレーム１１７を回転駆動させることによって、被検体Ｐを中心とした円軌道上で、Ｘ線管１１２、ウェッジ１１３及びコリメータ１１４と、検出器１１５とを旋回させる。
【００１６】
検出器１１５は、被検体Ｐを透過したＸ線を検出する２次元アレイ型検出器（面検出器）であり、複数チャンネル分のＸ線検出素子を配してなる検出素子列が、回転フレーム１１７の回転中心軸方向（図１に示すＺ軸方向）に沿って複数列配列される。
【００１７】
データ収集回路１１６は、ＤＡＳであり、検出器１１５が検出したＸ線の検出データから、ＣＴ投影データを収集する。例えば、データ収集回路１１６は、検出器１１５により検出されたＸ線強度分布データに対して、増幅処理やＡ／Ｄ変換処理、チャンネル間の感度補正処理等を行なってＣＴ投影データを生成し、生成したＣＴ投影データをコンソール１３０に送信する。例えば、回転フレーム１１７の回転中に、Ｘ線管１１２からＸ線が連続曝射されている場合、データ収集回路１１６は、全周囲分（３６０度分）のＣＴ投影データ群を収集する。また、データ収集回路１１６は、収集した各ＣＴ投影データに管球位置を対応付けて、コンソール１３０に送信する。管球位置は、ＣＴ投影データの投影方向を示す情報となる。
【００１８】
寝台装置１２０は、被検体Ｐを載せる装置であり、寝台駆動装置１２１と、天板１２２とを有する。天板１２２は、被検体Ｐが載置される板である。寝台駆動装置１２１は、天板１２２をＺ軸方向へ移動して、被検体Ｐを回転フレーム１１７内に移動させる。例えば、寝台駆動装置１２１は、図示しないアクチュエータ（モータ等）が発生させた動力を用いて、天板１２２を移動させる。なお、架台１１０と天板１２２との相対位置の変化は、天板１２２を制御することによって実現されてもよいし、架台１１０が自走式である場合には、架台１１０の走行を制御することによって実現されてもよい。
【００１９】
コンソール１３０は、操作者によるＸ線ＣＴ装置１００の操作を受け付けるとともに、架台１１０によって収集されたＣＴ投影データを用いてＣＴ画像データ（ボリュームデータ）を再構成する装置である。コンソール１３０は、図１に示すように、入力回路１３１と、ディスプレイ１３２と、スキャン制御回路１３３と、記憶回路１３４と、処理回路１３５とを有する。
【００２０】
入力回路１３１は、Ｘ線ＣＴ装置１００の操作者が各種指示や各種設定の入力に用いるマウスやキーボード、トラックボール、スイッチ、ボタン、ジョイスティック、タッチパネル等を有し、操作者から受け付けた指示や設定の情報を、処理回路１３５に転送する。
【００２１】
ディスプレイ１３２は、操作者によって参照されるモニタであり、処理回路１３５による制御のもと、ＣＴ画像データの一部を操作者に表示したり、入力回路１３１を介して操作者から各種指示や各種設定等を受け付けるためのＧＵＩ（Graphical  User  Interface）を表示したりする。また、ディスプレイ１３２は、ＣＴ画像データについて算出された評価値や、検査プロトコルを表示する。なお、評価値及び検査プロトコルの表示については後に詳述する。
【００２２】
スキャン制御回路１３３は、処理回路１３５による制御のもと、Ｘ線照射制御回路１１１、架台駆動回路１１８、データ収集回路１１６及び寝台駆動装置１２１の動作を制御することで、架台１１０におけるＣＴ投影データの収集処理を制御する。
【００２３】
記憶回路１３４は、例えば、フラッシュメモリ等の半導体メモリ素子や、ハードディスク、光ディスク等の不揮発性の記憶装置である。記憶回路１３４は、処理回路１３５により生成されたＣＴ投影データやＣＴ画像データを記憶する。また、記憶回路１３４は、評価値と検査プロトコルとを対応付けて記憶する。なお、記憶回路１３４が記憶する評価値及び検査プロトコルについては後に詳述する。
【００２４】
処理回路１３５は、制御機能１３５ａ、前処理機能１３５ｂ、画像再構成機能１３５ｃ、抽出機能１３５ｄ、算出機能１３５ｅ、受付機能１３５ｆ、取得機能１３５ｇ及び表示制御機能１３５ｈを実行することで、Ｘ線ＣＴ装置１００全体の動作を制御する。例えば、処理回路１３５は、制御機能１３５ａに対応するプログラムを記憶回路１３４から読み出して実行することにより、ＣＴ投影データの収集処理を制御する。また、例えば、処理回路１３５は、前処理機能１３５ｂに対応するプログラムを記憶回路１３４から読み出して実行することにより、ＣＴ投影データに対して、対数変換処理と、オフセット補正、感度補正及びビームハードニング補正等の補正処理とを行なって、補正済みのＣＴ投影データを生成して、記憶回路１３４に格納する。また、例えば、処理回路１３５は、画像再構成機能１３５ｃに対応するプログラムを記憶回路１３４から読み出して実行することにより、記憶回路１３４が記憶するＣＴ投影データを用いて、ＣＴ画像データ（ボリュームデータ）を再構成する。ここで、再構成方法としては、種々の方法があり、例えば、逆投影処理が挙げられる。また、逆投影処理としては、例えば、ＦＢＰ（Filtered  Back  Projection）法による逆投影処理が挙げられる。或いは、処理回路１３５は、逐次近似再構成（ＩＲ：Iterative  Reconstruction）法を用いて、ＣＴ画像データを再構成することもできる。そして、処理回路１３５は、再構成したＣＴ画像データを記憶回路１３４に格納する。また、例えば、処理回路１３５は、抽出機能１３５ｄ及び算出機能１３５ｅに対応するプログラムを記憶回路１３４から読み出して実行することにより、ＣＴ画像データについて評価値を算出し、算出した評価値と検査プロトコルとを対応付ける。また、例えば、処理回路１３５は、受付機能１３５ｆ、取得機能１３５ｇ及び表示制御機能１３５ｈに対応するプログラムを記憶回路１３４から読み出して実行することにより、評価値及び検査プロトコルを対応付けて表示する。なお、評価値及び検査プロトコルについては後に詳述する。
【００２５】
ここで、図１に示すＸ線ＣＴ装置１００においては、各処理機能がコンピュータによって実行可能なプログラムの形態で記憶回路１３４へ記憶されている。Ｘ線照射制御回路１１１、架台駆動回路１１８、スキャン制御回路１３３及び処理回路１３５は、記憶回路１３４からプログラムを読み出して実行することで各プログラムに対応する機能を実現するプロセッサである。換言すると、各プログラムを読み出した状態の各回路は、読み出したプログラムに対応する機能を有することとなる。
【００２６】
なお、図１においては単一の処理回路１３５にて、制御機能１３５ａ、前処理機能１３５ｂ、画像再構成機能１３５ｃ、抽出機能１３５ｄ、算出機能１３５ｅ、受付機能１３５ｆ、取得機能１３５ｇ及び表示制御機能１３５ｈが実現するものとして説明したが、複数の独立したプロセッサを組み合わせて処理回路１３５を構成し、各プロセッサがプログラムを実行することにより機能を実現するものとしても構わない。
【００２７】
上記説明において用いた「プロセッサ」という文言は、例えば、ＣＰＵ（Central  Processing  Unit）、ＧＰＵ（Graphics  Processing  Unit）、あるいは、特定用途向け集積回路（Application  Specific  Integrated  Circuit;  ＡＳＩＣ）、プログラマブル論理デバイス（例えば、単純プログラマブル論理デバイス（Simple  Programmable  Logic  Device;  ＳＰＬＤ）、複合プログラマブル論理デバイス（Complex  Programmable  Logic  Device;  ＣＰＬＤ）、及びフィールドプログラマブルゲートアレイ（Field  Programmable  Gate  Array;  ＦＰＧＡ））などの回路を意味する。プロセッサは記憶回路１３４に記憶されたプログラムを読み出し実行することで機能を実現する。なお、記憶回路１３４にプログラムを記憶させる代わりに、プロセッサの回路内にプログラムを直接組み込むように構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１における複数の構成要素を１つのプロセッサへ統合してその機能を実現するようにしてもよい。
【００２８】
以上、Ｘ線ＣＴ装置１００の構成について説明した。かかる構成の下、本願に係るＸ線ＣＴ装置１００は、検査プロトコルの適切な評価を可能にする。具体的には、Ｘ線ＣＴ装置１００は、以下詳細に説明する処理回路１３５による処理によって、医用画像において対象部位に対応する領域の評価値を算出し、算出した評価値と検査プロトコルとを対応付けることによって、検査プロトコルの適切な評価を可能にする。以下、第１の実施形態に係るＸ線ＣＴ装置１００が行う処理について、詳細に説明する。
【００２９】
まず、制御機能１３５ａは、スキャン制御回路１３３を制御することにより、Ｘ線照射制御回路１１１、架台駆動回路１１８、データ収集回路１１６及び寝台駆動装置１２１の動作を制御して、被検体ＰからＣＴ投影データを収集する。次に、前処理機能１３５ｂは、収集したＣＴ投影データに対して種々の補正処理を行なって、補正済みのＣＴ投影データを生成する。次に、画像再構成機能１３５ｃは、補正済みのＣＴ投影データを用いてＣＴ画像データを再構成し、ＣＴ画像データを記憶回路１３４に格納する。
【００３０】
次に、抽出機能１３５ｄは、ＣＴ画像データを取得し、取得したＣＴ画像データにおいて、対象部位に対応する領域を抽出する。例えば、抽出機能１３５ｄは、まず、画像再構成機能１３５ｃが再構成し、記憶回路１３４に格納したＣＴ画像データを、記憶回路１３４から取得する。なお、抽出機能１３５ｄは、画像再構成機能１３５ｃが再構成したＣＴ画像データを、記憶回路１３４を経由せず、直接取得する場合であってもよい。また、抽出機能１３５ｄは、Ｘ線ＣＴ装置１００以外のＸ線ＣＴ装置において収集され、記憶回路１３４に格納されたＣＴ画像データを、記憶回路１３４から取得する場合であってもよい。即ち、抽出機能１３５ｄは、任意のＸ線ＣＴ装置において収集されたＣＴ画像データを取得する。
【００３１】
そして、ＣＴ画像データを取得した後、抽出機能１３５ｄは、取得したＣＴ画像データにおいて対象部位に対応する領域を抽出する。ここで、対象部位とは、被検体Ｐの部位のうち、撮影の対象となった部位であり、例えば、ＣＴ画像データに含まれる臓器や骨、血管などである。なお、対象部位は、ＣＴ画像データを収集した際に、検査の目的でなかった部位であってもよい。一例を挙げると、「肺」の検査を目的としてＣＴ画像データを収集した場合、収集したＣＴ画像データには、「肺」に加え、「心臓」が含まれる場合がある。かかる場合、現に撮影の対象となった「肺」に加えて、「心臓」が対象部位となる。また、抽出機能１３５ｄは、体幹や上肢、下肢、頭部、胸部といった総括的な単位で対象部位に対応する領域を抽出してもよい。
【００３２】
抽出機能１３５ｄは、取得したＣＴ画像データから、任意の手法で、対象部位に対応する領域を抽出することができる。例えば、抽出機能１３５ｄは、身長や座高、性別などの被検体Ｐの情報に基づいて、対象部位に対応する領域を抽出する。また、例えば、抽出機能１３５ｄは、取得したＣＴ画像データに含まれる解剖学的な特徴点（Anatomical  Landmark）の位置を特定し、特定した特徴点の位置に基づいて、対象部位に対応する領域を抽出する。ここで、解剖学的な特徴点とは、特定の臓器や骨、血管、神経、内腔などの部位の特徴を示す点である。以下、解剖学的な特徴点に基づいて対象部位に対応する領域を抽出する場合について説明する。
【００３３】
まず、抽出機能１３５ｄは、ボリュームデータであるＣＴ画像データに含まれるボクセルの値から、解剖学的な特徴点の位置を特定する。例えば、抽出機能１３５ｄは、各特徴点のボクセル値や相互の位置関係などが定義されたモデルデータを用いて、ＣＴ画像データに含まれる特徴点の位置を特定する。なお、抽出機能１３５ｄは、解剖学的な特徴点の位置を、ＣＴ画像データにおける座標として特定してもよいし、２次元又は３次元の領域として特定してもよい。ここで、抽出機能１３５ｄは、位置を特定し得る全て特徴点の位置を特定する場合であってもよいし、位置特定の確からしさ（検出尤度）が一定の閾値を超える特徴点の位置のみを特定する場合であってもよい。
【００３４】
そして、抽出機能１３５ｄは、特定した特徴点の位置に基づいて、対象部位に対応する領域を抽出する。例えば、抽出機能１３５ｄは、特徴点の位置に基づき、閾値処理等により画像を複数の領域に分割するセグメンテーション処理アルゴリズムを用いて、対象部位に対応する領域を抽出する。なお、抽出機能１３５ｄは、対象部位の形状に沿った領域を抽出するだけでなく、例えば、対象部位に相当する領域を矩形領域や曲面領域として抽出することもできる。
【００３５】
次に、算出機能１３５ｅは、ＣＴ画像データについて、抽出機能１３５ｄが抽出した領域の評価値を算出する。ここで、評価値は、抽出機能１３５ｄが抽出した領域を、検査に用いる画像として評価した値である。例えば、評価値は画質を示す値であり、算出機能１３５ｅは、評価値として、抽出された領域に含まれるボクセルの画素値の標準偏差（Standard  Deviation；ＳＤ）値を算出する。ここで、ＳＤ値が低い場合は、抽出された領域の画質が高いことを表す。あるいは、算出機能１３５ｅは、評価値として、ノイズ電力スペクトル（Noise  Power  Spectrum：ＮＰＳ）を算出してもよいし、画質を評価する他の値を算出してもよい。
【００３６】
また、算出機能１３５ｅは、評価値として、抽出機能１３５ｄによる解剖学的な特徴点の検出尤度や検出割合を算出する場合であってもよい。一例を挙げると、算出機能１３５ｅは、モデルデータ上に定義された各特徴点のボクセル値や相互の位置関係と、ＣＴ画像データにおける各特徴点のボクセル値や相互の位置関係との類似度に基づいて、抽出機能１３５ｄにより検出された各特徴点の検出尤度を算出する。また、一例を挙げると、対象部位が「心臓」である場合において、算出機能１３５ｅは、抽出機能１３５ｄがＣＴ画像データにおいて検出した特徴点のうち「心臓」に対応する特徴点の数を、モデルデータにおいて「心臓」の特徴点として定義された全特徴点の数で割ることにより、検出割合を算出する。
【００３７】
なお、解剖学的な特徴点の検出尤度や検出割合が高い場合は、抽出された領域が画像として明瞭であり、容易に特徴点の位置が特定できたことを表す。一方で、検出尤度や検出割合が低い場合は、抽出された領域の画質が低かったり、コントラストが低かったり、粒状性が悪かったりといった種々の要因により、特徴点の位置が容易に特定できなかったことを表す。従って、特徴点の検出尤度や検出割合により、検査に用いる画像としての評価が可能である。
【００３８】
また、算出機能１３５ｅは、抽出機能１３５ｄが抽出した領域について、ＳＤ値や特徴点の検出尤度などの複数の値を算出し、算出した複数の値に基づく値（例えば、重み付き平均など）を評価値として算出してもよい。また、算出機能１３５ｅは、対象部位に応じた評価値を算出する場合であってもよい。例えば、対象部位が「胸部」である場合、抽出機能１３５ｄが抽出した領域には骨と、気体で満たされる肺と、他の体組織とが含まれ、かかる場合に抽出した領域のコントラストが低ければ、骨及び肺以外の領域の観察は困難になる。そこで、対象部位が「胸部」である場合、算出機能１３５ｅは、抽出した領域のコントラストに大きな重みを付けて、評価値を算出する。なお、以下では、評価値としてＳＤ値を算出する場合を一例として説明する。
【００３９】
算出機能１３５ｅが対象部位ごとに算出した評価値は、ＣＴ画像データの収集に用いられた検査プロトコルと対応付けて、記憶回路１３４により記憶される。例えば、算出機能１３５ｅは、対象部位ごとに算出した評価値を、検査プロトコルと対応付けて、記憶回路１３４に格納する。ここで、検査プロトコルについて説明する。検査プロトコルとは、ＣＴ画像データの収集に用いられた種々の条件であり、撮影条件や画像処理プロトコルを含む。
【００４０】
ここで、撮影条件とは、例えば、管電圧や管電流、曝射時間、撮影部位、撮影時に使用した補正処理アルゴリズム、撮影装置などである。撮影条件のうち、管電圧、管電流及び曝射時間とは、ＣＴ投影データを収集する際に用いたＸ線条件である。また、撮影部位とは、例えば、検査の目的とされた部位である。また、撮影時に使用した補正処理アルゴリズムとは、例えば、被ばく量を低減したい特定の部位に対するＸ線の照射を制限するため、ウェッジ１１３やコリメータ１１４を制御してＸ線の照射範囲や分布を補正する処理に用いられたアルゴリズムである。また、撮影装置とは、Ｘ線ＣＴ装置１００を含むＸ線ＣＴ装置のうち、いずれのＸ線ＣＴ装置において撮影が実行されたのかを示す情報である。
【００４１】
また、画像処理プロトコルとは、例えば、再構成条件や再構成アルゴリズム、画像フィルタなどである。画像処理プロトコルのうち、再構成条件とは、例えば、ＣＴ画像データを再構成する際に用いた再構成関数や再構成厚（スライス厚）などである。また、再構成アルゴリズムとは、例えば、ＦＢＰ法やＩＲ法などの再構成方法である。また、画像フィルタとは、種々のアーチファクト（例えば、金属アーチファクト）を低減するために用いられるフィルタの種類等である。
【００４２】
上述したように、被検体Ｐから収集されたＣＴ画像データについて評価値が算出され、算出された評価値は検査プロトコルと対応付けて記憶回路１３４に記憶される。また、被検体Ｐから複数のＣＴ画像データが収集された場合は、各ＣＴ画像データについて評価値が算出され、検査プロトコルと対応付けて記憶回路１３４に記憶される。
【００４３】
なお、ＣＴ画像データに複数の対象部位が含まれる場合、対象部位ごとに評価値が算出され、算出された評価値のそれぞれが、検査プロトコルと対応付けて記憶される。一例を挙げると、所定の検査プロトコル（例えば、プロトコルＡ）を用いて収集されたＣＴ画像データに「肺」と「心臓」が含まれる場合、算出機能１３５ｅは、「肺」に対応する領域の評価値と、「心臓」に対応する領域の評価値とをそれぞれ算出する。そして、記憶回路１３４は、「肺」に対応する領域の評価値とプロトコルＡとを対応付けて記憶し、また、「心臓」に対応する領域の評価値とプロトコルＡとを対応付けて記憶する。
【００４４】
また、同一の検査プロトコルを用いたＣＴ画像データの収集が複数回行われた場合、収集された複数のＣＴ画像データのそれぞれから対象部位に対応する領域が抽出され、抽出された領域ごとに算出された評価値のそれぞれが、検査プロトコルと対応付けて記憶される。一例を挙げると、まず、所定の検査プロトコル（例えば、プロトコルＢ）を用いて、被検体Ｐ１のＣＴ画像データと、被検体Ｐ２のＣＴ画像データとが収集される。なお、被検体Ｐ１及び被検体Ｐ２は、図１に示す被検体Ｐの一例である。次に、抽出機能１３５ｄは、被検体Ｐ１のＣＴ画像データから対象部位に対応する領域を抽出し、算出機能１３５ｅは、抽出された領域の評価値を算出する。また、抽出機能１３５ｄは、被検体Ｐ２のＣＴ画像データから対象部位に対応する領域を抽出し、算出機能１３５ｅは、抽出された領域の評価値を算出する。そして、記憶回路１３４は、被検体Ｐ１のＣＴ画像データについて算出された評価値とプロトコルＢとを対応付けて記憶し、また、被検体Ｐ２のＣＴ画像データについて算出された評価値とプロトコルＢとを対応付けて記憶する。
【００４５】
上述したように、記憶回路１３４は、ＣＴ画像データのうち対象部位に対応する領域について算出された評価値と、ＣＴ画像データの収集に用いられた検査プロトコルとを対応付けて記憶する。そして、記憶回路１３４が記憶する評価値及び検査プロトコルは、操作者からの要求に応じて、操作者に提示される。以下、評価値や検査プロトコルの表示について説明する。
【００４６】
まず、受付機能１３５ｆは、操作者から所定の検索条件の入力を受け付ける。例えば、受付機能１３５ｆは、所定の検索条件として、評価値や検査プロトコルに関する検索条件の入力を受け付ける。一例を挙げると、受付機能１３５ｆは、所定の検索条件として、評価値の数値範囲や対象部位の入力を受け付ける。また、一例を挙げると、受付機能１３５ｆは、所定の検索条件として、管電圧の数値範囲や再構成方法の入力を受け付ける。なお、受付機能１３５ｆは、所定の検索条件の全部についての入力を受け付けてもよいし、所定の検索条件の一部についての入力を受け付けてもよい。
【００４７】
例えば、操作者は、入力回路１３１を介して、これから行う検査の内容に基づいて、所定の検索条件を入力する。一例を挙げると、検査の対象となる部位が「頭部」である場合、操作者は、所定の検索条件として、「対象部位が頭部」であることを入力する。また、一例を挙げると、高画質のＣＴ画像データが検査の目的上必要となる場合、操作者は、所定の検索条件として、「ＳＤ値が４０以下」であることを入力する。受付機能１３５ｆは、入力回路１３１を介した入力を受け付けて、受け付けた内容を取得機能１３５ｇに送信する。
【００４８】
取得機能１３５ｇは、記憶回路１３４が対応付けて記憶する評価値及び検査プロトコルのうち、入力された検索条件を満たす評価値及び検査プロトコルを取得する。表示制御機能１３５ｈは、取得機能１３５ｇが取得した評価値及び検査プロトコルを、ディスプレイ１３２に表示させる。例えば、表示制御機能１３５ｈは、取得機能１３５ｇが取得した評価値及び検査プロトコルを、評価値及び検査プロトコルの組み合わせを一行としたリストで表示させる。
【００４９】
ここで、評価値及び検査プロトコルの表示例について、図２を用いて説明する。図２は、第１の実施形態に係る評価値及び検査プロトコルの表示例を示す図である。例えば、所定の検索条件として、「ＳＤ値が４０以下」であること、及び、「対象部位が頭部」であることが入力された場合、取得機能１３５ｇは、「ＳＤ値が４０以下」であり、かつ、「対象部位が頭部」である評価値及び検査プロトコルの組み合わせを取得する。そして、表示制御機能１３５ｈは、図２に示すように、取得機能１３５ｇが取得した評価値及び検査プロトコルを表示させる。
【００５０】
なお、「評価値を表示させる」とは、例えば、図２に示すように、評価値（ＳＤ値）の具体的な値を表示させたり、その評価値がいずれの対象部位について算出されたものであるのかを表示させたりすることをいう。また、「検査プロトコルを表示させる」とは、例えば、図２に示すように、「検査プロトコル名」を表示させたり、検査プロトコルの内容の一部又は全部を表示させたりすることをいう。なお、図２における「管電圧」及び「管電流」は、検査プロトコルの内容の一例である。
【００５１】
また、「検査プロトコル名」は、検査プロトコルの内容ごとに付けられる名称である。例えば、図２においては、「管電圧」が「ＸＸＸ」であり、「管電流」が「ｘｘｘ」である検査プロトコルの名称を「プロトコルＣ」とし、「管電圧」が「ＹＹＹ」であり、「管電流」が「ｙｙｙ」である検査プロトコルの名称を「プロトコルＤ」とし、「管電圧」が「ＺＺＺ」であり、「管電流」が「ｚｚｚ」である検査プロトコルの名称を「プロトコルＥ」としている。
【００５２】
図２において、表示制御機能１３５ｈは、ＳＤ値が小さい順に、評価値及び検査プロトコルを表示させている。表示制御機能１３５ｈは、ＳＤ値が小さい順に評価値及び検査プロトコルを表示させることにより、例えば、取得機能１３５ｇが取得した評価値及び検査プロトコルの数が多い場合において、ＳＤ値の小さいＣＴ画像データを取得することのできる検査プロトコルを優先的に操作者に提示することができる。
【００５３】
なお、評価値及び検査プロトコルを表示させる順序は任意の変更が可能である。例えば、表示制御機能１３５ｈは、取得機能１３５ｇが取得した評価値及び検査プロトコルを、ＳＤ値が大きい順に表示させてもよいし、検査プロトコルに応じた順序で表示させてもよい。一例を挙げると、操作者が図２に示す「管電圧」を指定した場合、表示制御機能１３５ｈは、評価値及び検査プロトコルを、管電圧の大きい順、又は管電圧の小さい順に並び替えて表示する。
【００５４】
図２に示すリストは操作者により参照され、例えば、これから行われる検査にて用いられる検査プロトコルの設定に用いられる。例えば、図２において表示されている評価値は、これから行われる検査の対象となる部位「頭部」について算出されたものであり、かつ、画質の要求を満たしている。即ち、図２において表示されている検査プロトコルを用いて検査を実行すれば、「頭部」について、必要な画質を有するＣＴ画像データを取得することができる。操作者は、図２の検査プロトコルの中から、ＳＤ値や管電圧、管電流の値を参照しつつ、特に適していると判断した検査プロトコルを選択する。
【００５５】
例えば、操作者は、図２の検査プロトコルの中から、最もＳＤ値が優れている検査プロトコルとして、プロトコルＣを選択する。また、例えば、図２の管電流「ｘｘｘ」が管電流「ｙｙｙ」よりも大きい場合において、操作者は、プロトコルＣを用いてもＳＤ値が「２０」になる場合もあることから、プロトコルＣでもプロトコルＤでも得られる画質は同程度と判断し、被ばく量を低減することのできる検査プロトコルとして、プロトコルＤを選択する。
【００５６】
そして、制御機能１３５ａ、前処理機能１３５ｂ及び画像再構成機能１３５ｃは、図２に示すリストを参照した操作者により設定された検査プロトコルに基づき、ＣＴ画像データを収集する。また、ここで収集されたＣＴ画像データについても、同様に、対象部位に対応する領域の評価値が算出され、検査プロトコルと対応付けて記憶回路１３４にて記憶される。
【００５７】
次に、Ｘ線ＣＴ装置１００による処理の手順の一例を、図３を用いて説明する。図３は、第１の実施形態に係るＸ線ＣＴ装置１００の処理の一連の流れを説明するためのフローチャートである。ステップＳ１０１は、抽出機能１３５ｄに対応するステップである。ステップＳ１０２は、抽出機能１３５ｄ及び算出機能１３５ｅに対応するステップである。ステップＳ１０３は、受付機能１３５ｆ、取得機能１３５ｇ及び表示制御機能１３５ｈに対応するステップである。
【００５８】
まず、処理回路１３５は、被検体ＰからＣＴ画像データを収集し、記憶回路１３４に格納する。次に、処理回路１３５は、記憶回路１３４からＣＴ画像データを取得し（ステップＳ１０１）、取得したＣＴ画像データについて、対象部位に対応する領域の評価値を算出し、算出した評価値と、ＣＴ画像データの収集に用いた検査プロトコルとを対応付ける（ステップＳ１０２）。そして、処理回路１３５は、操作者からの要求に応じて評価値及び検査プロトコルを対応付けて表示し（ステップＳ１０３）、処理を終了する。
【００５９】
次に、第１の実施形態に係る評価値及び検査プロトコルの対応付けについて、図４を用いて説明する。図４は、第１の実施形態に係る評価値及び検査プロトコルの対応付けの一連の流れを説明するためのフローチャートである。ここで、図４は、図３のステップＳ１０２に対応する処理を示す。図４において、ステップＳ２０１及びステップＳ２０２は、抽出機能１３５ｄに対応するステップである。ステップＳ２０３は、算出機能１３５ｅに対応するステップである。
【００６０】
まず、処理回路１３５は、記憶回路１３４から取得したＣＴ画像データについて、解剖学的な特徴点を抽出する（ステップＳ２０１）。次に、処理回路１３５は、ＣＴ画像データにおける解剖学的な特徴点の位置に基づき、対象部位に対応する領域を抽出するセグメンテーション処理を行う（ステップＳ２０２）。そして、処理回路１３５は、ＣＴ画像データから抽出した領域の評価値（例えば、ＳＤ値）を算出する（ステップＳ２０３）。また、記憶回路１３４は、評価値と、ＣＴ画像データの収集に用いた検査プロトコルとを対応付けて記憶する（ステップＳ２０４）。
【００６１】
次に、第１の実施形態に係る評価値及び検査プロトコルの表示について、図５を用いて説明する。図５は、第１の実施形態に係る評価値及び検査プロトコルの表示の一連の流れを説明するためのフローチャートである。ここで、図５は、図３のステップＳ１０３に対応する処理を示す。図５において、ステップＳ３０１は、受付機能１３５ｆに対応するステップである。ステップＳ３０２は、取得機能１３５ｇに対応するステップである。ステップＳ３０３は、表示制御機能１３５ｈに対応するステップである。
【００６２】
まず、処理回路１３５は、操作者から所定の検索条件の入力を受け付け（ステップＳ３０１）、記憶回路１３４が対応付けて記憶する評価値及び検査プロトコルの中から、入力された検索条件を満たす評価値及び検査プロトコルを検索する（ステップＳ３０２）。そして、処理回路１３５は、検索条件を満たす評価値及び検査プロトコルをディスプレイ１３２に表示させ（ステップＳ３０３）、処理を終了する。
【００６３】
上述したように、第１の実施形態によれば、抽出機能１３５ｄは、取得したＣＴ画像データにおいて、対象部位に対応する領域を抽出する。算出機能１３５ｅは、ＣＴ画像データについて、抽出した領域の評価値を算出する。記憶回路１３４は、評価値と、ＣＴ画像データの収集に用いられた検査プロトコルとを対応付けて記憶する。受付機能１３５ｆは、所定の検索条件の入力を受け付ける。取得機能１３５ｇは、記憶回路１３４が記憶する評価値及び検査プロトコルのうち、入力された検索条件を満たす評価値及び検査プロトコルを取得する。表示制御機能１３５ｈは、取得機能１３５ｇが取得した評価値及び検査プロトコルを対応付けて表示させる。従って、第１の実施形態に係るＸ線ＣＴ装置１００は、過去に用いられた検査プロトコルのそれぞれを、実際に得られたＣＴ画像データの対象部位に対応する領域に基づく評価値により、適切に評価することを可能とする。
【００６４】
また、第１の実施形態によれば、算出機能１３５ｅは、対象部位に対応する領域の評価値を算出する。従って、第１の実施形態に係るＸ線ＣＴ装置１００は、ＣＴ画像データ全体のうち、操作者が注目する部位についての評価値により、検査プロトコルを適切に評価することを可能とする。例えば、Ｘ線ＣＴ装置１００は、一つのＣＴ画像データ内でも領域ごとに画質が異なり得ることを考慮し、画像全体としての画質は高いものの注目部位の領域の画質は低くなるような検査プロトコルが選択されることを回避することができる。
【００６５】
また、第１の実施形態によれば、表示制御機能１３５ｈは、所定の検索条件を満たす評価値及び検査プロトコルをディスプレイ１３２に表示させる。従って、第１の実施形態に係るＸ線ＣＴ装置１００は、記憶回路１３４が多くの評価値及び検査プロトコルを記憶する場合であっても、これから行われる検査での要求を満たした評価値及び検査プロトコルや、操作者が関心のある検査プロトコルでの評価値（例えば、再構成方法としてＩＲ法を用いた場合の評価値や、頭部を撮影した場合の評価値など）を適切に表示することができる。
【００６６】
また、第１の実施形態によれば、表示制御機能１３５ｈは、種々の検査プロトコルと対応付けて、評価値を表示させる。従って、第１の実施形態に係るＸ線ＣＴ装置１００は、これから行われる検査及び過去に行われた検査の内容を考慮して、より適切な検査プロトコルを推奨することができる。例えば、Ｘ線ＣＴ装置１００は、Ｘ線ＣＴ装置間での性能差や撮影対象の違いによって、過去の検査では高い画質を有するＣＴ画像データが得られたものの、これから行われる検査では十分な画質が得られない検査プロトコルを推奨してしまう事態を回避することができる。
【００６７】
（第２の実施形態）
上述した第１の実施形態では、記憶回路１３４が、評価値及び検査プロトコルを対応付けて記憶する場合について説明した。これに対して、第２の実施形態では、記憶回路１３４が、更に、評価値及び検査プロトコルに種々の情報やＣＴ画像データを対応付けて記憶する場合について説明する。第２の実施形態に係るＸ線ＣＴ装置１００は、図１に示したＸ線ＣＴ装置１００と同様の構成を有し、算出機能１３５ｅ、受付機能１３５ｆ、取得機能１３５ｇ及び表示制御機能１３５ｈによる処理の一部が相違する。そこで、第１の実施形態において説明した構成と同様の構成を有する点については、図１と同一の符号を付し、説明を省略する。
【００６８】
第２の実施形態に係る算出機能１３５ｅは、上述した評価値の算出に加え、ＣＴ画像データを収集する際に用いたＸ線による、被検体Ｐの被ばくの程度を表す指標値を算出する。ここで、被ばくの程度を表す指標値とは、例えば、ＣＴＤＩ（Computed  Tomography  Dose  Index）Volや、ＤＬＰ（Dose  Length  Product）などである。ここで、ＣＴＤＩVol（ｍＧｙ）とは、ＣＴＤＩファントムによって計測された吸収線量であり、ＤＬＰ（ｍＧｙ・ｃｍ）とは、ＣＴＤＩVol（ｍＧｙ）に体軸方向のＸ線照射範囲を乗じたものである。そして、記憶回路１３４は、算出機能１３５ｅが算出した指標値を、評価値及び検査プロトコルに対応付けて記憶する。
【００６９】
また、記憶回路１３４は、更に、ＣＴ画像データを再構成する処理に要した時間（再構成時間）を、評価値及び検査プロトコルに対応付けて記憶する。また、記憶回路１３４は、更に、ＣＴ画像データの患者情報を、評価値及び検査プロトコルに対応付けて記憶する。ここで、患者情報とは、例えば、被検体Ｐの年齢、性別、体重、身長などである。また、記憶回路１３４は、更に、ＣＴ画像データを、評価値及び検査プロトコルに対応付けて記憶する。
【００７０】
次に、受付機能１３５ｆは、操作者から所定の検索条件の入力を受け付ける。例えば、受付機能１３５ｆは、所定の検索条件として、評価値や検査プロトコル、被ばくの程度を表す指標値、再構成時間、患者情報に関する検索条件の入力を受け付ける。一例を挙げると、受付機能１３５ｆは、所定の検索条件として、指標値や再構成時間の数値範囲の入力を受け付ける。また、一例を挙げると、受付機能１３５ｆは、所定の検索条件として、被検体Ｐの年齢の範囲や、性別の入力を受け付ける。なお、受付機能１３５ｆは、所定の検索条件の全部についての入力を受け付けてもよいし、所定の検索条件の一部についての入力を受け付けてもよい。
【００７１】
例えば、操作者は、これから行う検査の内容に基づいて、所定の検索条件を入力する。一例を挙げると、検査における被ばく量を制限する必要がある場合、操作者は、所定の検索条件として、「ＣＴＤＩVol（ｍＧｙ）が５０以下」であることを入力する。また、一例を挙げると、再構成に要することのできる時間に制限がある場合、操作者は、所定の検索条件として、「再構成時間（ｓｅｃ）が３００以下」であることを入力する。
【００７２】
次に、取得機能１３５ｇは、記憶回路１３４が対応付けて記憶する評価値、検査プロトコル、被ばくの程度を表す指標値、再構成時間、患者情報及びＣＴ画像データのうち、入力された検索条件を満たす評価値、検査プロトコル、被ばくの程度を表す指標値、再構成時間、患者情報及びＣＴ画像データを取得する。
【００７３】
例えば、所定の検索条件として、評価値及び検査プロトコルに関する検索条件、被ばくの程度を表す指標値に関する検索条件、再構成時間に関する検索条件、及び、患者情報に関する検索条件が入力された場合、取得機能１３５ｇは、入力された検索条件を満たす評価値及び検査プロトコルであって、入力された検索条件を満たす指標値と対応付き、かつ、入力された検索条件を満たす再構成時間と対応付き、かつ、入力された検索条件を満たす患者情報と対応付いた評価値及び検査プロトコルを取得する。また、取得機能１３５ｇは、取得した評価値及び検査プロトコルに対応付いた指標値、再構成時間、患者情報及びＣＴ画像データを取得する。
【００７４】
また、例えば、所定の検索条件として、評価値及び検査プロトコルに関する検索条件のみが入力された場合、取得機能１３５ｇは、入力された検索条件を満たす評価値及び検査プロトコルを取得する。ここで、取得した評価値及び検査プロトコルに対応付いた指標値は、入力された検索条件（指標値に関する条件を設けない検索条件）を満たしているため、取得機能１３５ｇは、更に、取得した評価値及び検査プロトコルに対応付いた指標値を、入力された検索条件を満たす指標値として取得する。また、取得した評価値及び検査プロトコルに対応付いた再構成時間は、入力された検索条件（再構成時間に関する条件を設けない検索条件）を満たしているため、取得機能１３５ｇは、更に、取得した評価値及び検査プロトコルに対応付いた再構成時間を、入力された検索条件を満たす再構成時間として取得する。また、取得した評価値及び検査プロトコルに対応付いた患者情報は、入力された検索条件（患者情報に関する条件を設けない検索条件）を満たしているため、取得機能１３５ｇは、更に、取得した評価値及び検査プロトコルに対応付いた患者情報を、入力された検索条件を満たす患者情報として取得する。また、取得機能１３５ｇは、更に、取得した評価値及び検査プロトコルに対応付いたＣＴ画像データを取得する。
【００７５】
また、例えば、所定の検索条件として、被ばくの程度を表す指標値に関する検索条件のみが入力された場合、取得機能１３５ｇは、入力された検索条件を満たす指標値を取得し、また、取得した指標値に対応付いた評価値及び検査プロトコルを取得する。ここで、取得した評価値及び検査プロトコルに対応付いた再構成時間は、入力された検索条件（再構成時間に関する条件を設けない検索条件）を満たしているため、取得機能１３５ｇは、更に、取得した評価値及び検査プロトコルに対応付いた再構成時間を、入力された検索条件を満たす再構成時間として取得する。また、取得した評価値及び検査プロトコルに対応付いた患者情報は、入力された検索条件（患者情報に関する条件を設けない検索条件）を満たしているため、取得機能１３５ｇは、更に、取得した評価値及び検査プロトコルに対応付いた患者情報を、入力された検索条件を満たす患者情報として取得する。また、取得機能１３５ｇは、更に、取得した評価値及び検査プロトコルに対応付いたＣＴ画像データを取得する。
【００７６】
また、例えば、所定の検索条件として、再構成時間に関する検索条件のみが入力された場合、取得機能１３５ｇは、入力された検索条件を満たす再構成時間を取得し、また、取得した再構成時間に対応付いた評価値及び検査プロトコルを取得する。ここで、取得した評価値及び検査プロトコルに対応付いた指標値は、入力された検索条件（指標値に関する条件を設けない検索条件）を満たしているため、取得機能１３５ｇは、更に、取得した評価値及び検査プロトコルに対応付いた指標値を、入力された検索条件を満たす指標値として取得する。また、取得した評価値及び検査プロトコルに対応付いた患者情報は、入力された検索条件（患者情報に関する条件を設けない検索条件）を満たしているため、取得機能１３５ｇは、更に、取得した評価値及び検査プロトコルに対応付いた患者情報を、入力された検索条件を満たす患者情報として取得する。また、取得機能１３５ｇは、更に、取得した評価値及び検査プロトコルに対応付いたＣＴ画像データを取得する。
【００７７】
また、例えば、所定の検索条件として、患者情報に関する検索条件のみが入力された場合、取得機能１３５ｇは、入力された検索条件を満たす患者情報を取得し、また、取得した患者情報に対応付いた評価値及び検査プロトコルを取得する。ここで、取得した評価値及び検査プロトコルに対応付いた指標値は、入力された検索条件（指標値に関する条件を設けない検索条件）を満たしているため、取得機能１３５ｇは、更に、取得した評価値及び検査プロトコルに対応付いた指標値を、入力された検索条件を満たす指標値として取得する。また、取得した評価値及び検査プロトコルに対応付いた再構成時間は、入力された検索条件（再構成時間に関する条件を設けない検索条件）を満たしているため、取得機能１３５ｇは、更に、取得した評価値及び検査プロトコルに対応付いた再構成時間を、入力された検索条件を満たす再構成時間として取得する。また、取得機能１３５ｇは、更に、取得した評価値及び検査プロトコルに対応付いたＣＴ画像データを取得する。
【００７８】
そして、表示制御機能１３５ｈは、取得機能１３５ｇが取得した評価値、検査プロトコル、被ばくの程度を表す指標値、再構成時間、患者情報及びＣＴ画像データをディスプレイ１３２に表示させる。ここで、評価値等の表示例について、図６を用いて説明する。図６は、第２の実施形態に係る表示例を示す図である。
【００７９】
例えば、所定の検索条件として、「ＳＤ値が４０以下」であること、「ＣＴＤＩVol（ｍＧｙ）が５０以下」であること、及び、「再構成時間（ｓｅｃ）が３００以下」が入力された場合、取得機能１３５ｇは、「ＳＤ値が４０以下」、「ＣＴＤＩVol（ｍＧｙ）が５０以下」、「再構成時間（ｓｅｃ）が３００以下」を満たす評価値、検査プロトコル、被ばくの程度を表す指標値、再構成時間、患者情報及びＣＴ画像データの組み合わせを取得する。そして、表示制御機能１３５ｈは、図６に示すように、取得機能１３５ｇが取得した種々の情報をリスト表示させる。
【００８０】
なお、図６においては、取得機能１３５ｇが取得した種々の情報のうち、評価値、検査プロトコル、被ばくの程度を表す指標値、及び、再構成時間のみが表示されている。例えば、図６において、表示制御機能１３５ｈは、評価値として、「ＳＤ値」を表示させている。また、例えば、表示制御機能１３５ｈは、検査プロトコルとして、「検査プロトコル名」及び「造影剤量（ｍｌ）」を表示させている。また、例えば、表示制御機能１３５ｈは、指標値として、「ＣＴＤＩVol（ｍＧｙ）」及び「ＤＬＰ（ｍＧｙ・ｃｍ）」を表示させている。即ち、表示制御機能１３５ｈは、取得機能１３５ｇが取得した種々の情報のうちの一部（例えば、予め設定された項目や、操作者が選択した項目など）を表示させる。なお、表示制御機能１３５ｈは、取得機能１３５ｇが取得した種々の情報の全部を表示させる場合であってもよい。
【００８１】
また、図６においては、「造影剤量（ｍｌ）」が「４０」である検査プロトコルの名称が「プロトコルＦ」であり、「造影剤量（ｍｌ）」が「３０」である検査プロトコルの名称が「プロトコルＧ」であり、「造影剤量（ｍｌ）」が「２０」である検査プロトコルの名称が「プロトコルＨ」であり、「造影剤量（ｍｌ）」が「１０」である検査プロトコルの名称が「プロトコルＩ」である。また、図６においては、表示制御機能１３５ｈは、評価値（ＳＤ値）が小さい順で評価値、検査プロトコル、被ばくの程度を表す指標値、及び、再構成時間を表示させるとともに、画質（ＳＤ値）順位を表示させている。
【００８２】
なお、表示の順序は任意の変更が可能であり、例えば、表示制御機能１３５ｈは、評価値、検査プロトコル、被ばくの程度を表す指標値及び再構成時間を、検査プロトコルや被ばくの程度を表す指標値、再構成時間などに応じた順序で表示させてもよい。一例を挙げると、操作者が図６に示す「ＣＴＤＩVol（ｍＧｙ）」を指定した場合、表示制御機能１３５ｈは、図６に示すリストを、「ＣＴＤＩVol（ｍＧｙ）」が小さい順に並べ替えて表示する。また、一例を挙げると、操作者が図６に示す「再構成時間（ｓｅｃ）」を指定した場合、表示制御機能１３５ｈは、図６に示すリストを、「再構成時間（ｓｅｃ）」が小さい順に並べ替えて表示する。また、一例を挙げると、操作者が図６に示す「造影剤量（ｍｌ）」を指定した場合、表示制御機能１３５ｈは、図６に示すリストを、「造影剤量（ｍｌ）」が小さい順に並べ替えて表示する。
【００８３】
図６に示すリストは操作者により参照され、例えば、これから行われる検査にて用いられる検査プロトコルの設定に用いられる。例えば、これから行われる検査で、撮影による被ばくが「ＣＴＤＩVol（ｍＧｙ）が５０以下」であり、かつ、「再構成時間（ｓｅｃ）が３００以下」であり、かつＣＴ画像データの「ＳＤ値が４０以下」であることが要求される場合において、図６において表示されている検査プロトコルはいずれも要求を満たしている。操作者は、図６の検査プロトコルの中から、「ＳＤ値」や「ＣＴＤＩVol（ｍＧｙ）」、「ＤＬＰ（ｍＧｙ・ｃｍ）」、「再構成時間（ｓｅｃ）」、「造影剤量（ｍｌ）」の値を参照しつつ、特に適していると判断した検査プロトコルを選択する。
【００８４】
例えば、操作者は、図６の検査プロトコルの中から、最もＳＤ値が優れている検査プロトコルとして、プロトコルＦを選択する。また、例えば、操作者は、図６の検査プロトコルであればいずれでも十分な画質が得られると判断し、被ばく量をより低減するため、プロトコルＧを選択する。また、例えば、操作者は、より迅速にＣＴ画像データを取得するため、プロトコルＨを選択する。また、例えば、操作者は、これから行われる検査における被検体の状態（例えば、腎臓機能など）に応じ、用いる造影剤量をより低減するため、プロトコルＩを選択する。
【００８５】
更に、表示制御機能１３５ｈは、図６のリスト上において行われる操作等に基づいて、「ＳＤ値」のそれぞれに対応するＣＴ画像データを表示させる場合であってもよい。一例を挙げると、入力回路１３１が備えるタッチパネルに対するタップ操作や、マウスによるクリック操作、マウスカーソルの位置などに基づいて、図６の「ＳＤ値」のいずれかが指定された場合、表示制御機能１３５ｈは、指定された「ＳＤ値」が算出されたＣＴ画像データを表示させる。そして、操作者は、図６の検査プロトコルのうち、これから行う検査において取得したいＣＴ画像データと類似したＣＴ画像データが得られた検査プロトコルを選択する。
【００８６】
なお、ＣＴ画像データを表示させる際、表示制御機能１３５ｈは、ＣＴ画像データから、各種レンダリング処理を行なって、表示用の２次元画像データを生成し、生成した２次元画像データをディスプレイ１３２に表示させる。あるいは、表示制御機能１３５ｈは、過去の検査において既に生成されていた表示用の２次元画像データを取得して、ディスプレイ１３２に表示させる。ここで、レンダリング処理としては、断面再構成法（ＭＰＲ：Multi  Planar  Reconstruction）により、３次元のＣＴ画像データから任意の断面のＭＰＲ画像データを再構成する処理がある。また、レンダリング処理としては、ボリュームレンダリング（Volume  Rendering）処理や、最大値投影法（ＭＩＰ：Maximum  Intensity  Projection）により、３次元のＣＴ画像データから３次元の情報を反映したＶＲ画像データやＭＩＰ画像データを生成する処理がある。
【００８７】
また、表示制御機能１３５ｈは、図６のリストの一部を強調して表示する場合であってもよい。例えば、表示制御機能１３５ｈは、図６のリストのうち、所定の条件を満たす部分を強調して表示する。一例を挙げると、表示制御機能１３５ｈは、「ＣＴＤＩVol（ｍＧｙ）」の値が所定の閾値を超える場合に、所定の閾値を超えた「ＣＴＤＩVol（ｍＧｙ）」の値を、他の文字と異なる色で表示させる。
【００８８】
そして、制御機能１３５ａ、前処理機能１３５ｂ及び画像再構成機能１３５ｃは、図６に示すリストを参照した操作者により設定された検査プロトコルに基づき、ＣＴ画像データを収集する。また、ここで収集されたＣＴ画像データについても、同様に、対象部位に対応する領域の評価値が算出され、検査プロトコルと対応付けて、記憶回路１３４により記憶される。また、被ばくの程度を表す指標値や再構成時間、患者情報、ＣＴ画像データが、評価値及び検査プロトコルと対応付けて、記憶回路１３４により記憶される。
【００８９】
上述したように、第２の実施形態によれば、記憶回路１３４は、ＣＴ画像データの収集に用いたＸ線による被ばくの程度を表す指標値を、ＣＴ画像データのうち対象部位に対応する領域の評価値、及び、ＣＴ画像データの収集に用いた検査プロトコルと対応付けて記憶する。また、取得機能１３５ｇは、入力された検索条件を満たす指標値を取得する。また、表示制御機能１３５ｈは、取得機能１３５ｇが取得した指標値を、評価値及び検査プロトコルに対応付けて表示させる。従って、第２の実施形態に係るＸ線ＣＴ装置１００は、ＣＴ画像データについて算出された対象部位に対応する領域の評価値に加え、被ばく量の観点から検査プロトコルを評価することを可能にする。
【００９０】
また、第２の実施形態によれば、記憶回路１３４は、ＣＴ画像データを収集した際の再構成時間を、評価値及び検査プロトコルと対応付けて記憶する。また、取得機能１３５ｇは、入力された検索条件を満たす指標値を取得する。また、表示制御機能１３５ｈは、取得機能１３５ｇが取得した再構成時間を、評価値及び検査プロトコルに対応付けて表示させる。従って、第２の実施形態に係るＸ線ＣＴ装置１００は、ＣＴ画像データについて算出された対象部位に対応する領域の評価値に加え、再構成時間の観点から検査プロトコルを評価することを可能にする。例えば、Ｘ線ＣＴ装置１００は、急患の場合等において、画像再構成に長い時間を要することで診断が遅れるといった事態を回避する検査プロトコルを操作者に提示することができる。
【００９１】
また、第２の実施形態によれば、記憶回路１３４は、ＣＴ画像データが収集された被検体の情報である患者情報を、評価値及び検査プロトコルと対応付けて記憶する。また、取得機能１３５ｇは、入力された検索条件を満たす患者情報を取得する。また、表示制御機能１３５ｈは、取得機能１３５ｇが取得した患者情報を、評価値及び検査プロトコルに対応付けて表示させる。従って、第２の実施形態に係るＸ線ＣＴ装置１００は、ＣＴ画像データについて算出された対象部位に対応する領域の評価値に加え、患者情報の観点から検査プロトコルを評価することを可能にする。例えば、Ｘ線ＣＴ装置１００は、評価値が算出されたＣＴ画像データの被検体と、これから行われる検査の対象である被検体とで年齢や性別、体重、身長などを比較し、評価値の信頼性を判断することを可能にする。一例を挙げると、操作者は、患者情報が類似している場合、これから行われる検査においても同様のＳＤ値等を有するＣＴ画像データが収集されると判断することができる。
【００９２】
また、第２の実施形態によれば、記憶回路１３４は、ＣＴ画像データを、評価値及び検査プロトコルと対応付けて記憶する。また、表示制御機能１３５ｈは、ＣＴ画像データを、評価値及び検査プロトコルに対応付けて表示させる。従って、第２の実施形態に係るＸ線ＣＴ装置１００は、ＣＴ画像データについて算出された対象部位に対応する領域の評価値に加え、実際に得られたＣＴ画像データを参照しつつ、検査プロトコルを評価することを可能にする。
【００９３】
なお、上述した第２の実施形態では、記憶回路１３４が、被ばくの程度を表す指標値、再構成時間、患者情報及びＣＴ画像データの全部を、評価値及び検査プロトコルと対応付けて記憶する場合について説明したが、記憶回路１３４は、被ばくの程度を表す指標値、再構成時間、患者情報及びＣＴ画像データのうちの一部を、評価値及び検査プロトコルと対応付けて記憶する場合であってもよい。また、上述した第２の実施形態では、取得機能１３５ｇが、入力された検索条件を満たす評価値、検査プロトコル、指標値、再構成時間、患者情報及びＣＴ画像データを取得する場合について説明したが、取得機能１３５ｇは、指標値、再構成時間、患者情報及びＣＴ画像データのうちの一部を取得する場合であってもよい。
【００９４】
（第３の実施形態）
上述した実施形態では、所定の検索条件の入力を受け付け、入力された検索条件を満たす評価値等をリスト表示する場合について説明した。これに対して、第３の実施形態では、検査プロトコルの選択を受け付け、選択された検査プロトコルに係る複数の評価値をグラフ表示する場合について説明する。第３の実施形態に係るＸ線ＣＴ装置１００は、図１に示した第１の実施形態に係るＸ線ＣＴ装置１００と同様の構成を有し、受付機能１３５ｆ、取得機能１３５ｇ及び表示制御機能１３５ｈによる処理の一部が相違する。そこで、第１の実施形態において説明した構成と同様の構成を有する点については、図１と同一の符号を付し、説明を省略する。
【００９５】
まず、第３の実施形態に係る受付機能１３５ｆは、検査プロトコルのうち少なくとも一つを選択する選択操作を受け付ける。例えば、受付機能１３５ｆは、表示制御機能１３５ｈが評価値と対応付けて表示させた検査プロトコル（例えば、図２のリストに示す「プロトコルＣ」、「プロトコルＤ」及び「プロトコルＥ」）において、選択操作を受け付ける。なお、以下では、図２の「プロトコルＣ」及び「プロトコルＤ」を選択する選択操作を受け付けた場合を一例として説明する。
【００９６】
次に、取得機能１３５ｇは、選択された検査プロトコルに係る複数の評価値を取得する。例えば、取得機能１３５ｇは、「プロトコルＣ」を用いて収集されたＣＴ画像データについて算出された評価値、及び、「プロトコルＤ」を用いて収集されたＣＴ画像データについて算出された評価値を、記憶回路１３４から取得する。ここで、取得機能１３５ｇが取得する評価値は、図２のリストに示す評価値（ＳＤ値）に限られるものではない。即ち、図２のリストに示す評価値（ＳＤ値）は、操作者により入力された所定の検索条件（例えば、評価値の数値範囲や対象部位など）を満たすもののみであるが、取得機能１３５ｇは、所定の検索条件を満たすか否かに関わらず、選択された検査プロトコルを用いて収集されたＣＴ画像データについて算出された評価値を取得する。
【００９７】
そして、表示制御機能１３５ｈは、取得機能１３５ｇが取得した評価値を、検査プロトコルごとにグラフ表示させる。ここで、第３の実施形態に係る評価値のグラフ表示について、図７を用いて説明する。図７は、第３の実施形態に係る表示例を示す図である。図７に示すように、表示制御機能１３５ｈは、横軸を「ＳＤ値」とし、縦軸を「画像数」としたグラフをディスプレイ１３２に表示させる。
【００９８】
なお、１つのＣＴ画像データに複数の対象部位が含まれる場合、１つのＣＴ画像データから複数の評価値（ＳＤ値）が算出される。かかる場合、「画像数」は、ＣＴ画像データの数としてもよいし、算出された評価値の数（対象部位の数）としてもよい。即ち、「画像数」は、ＣＴ画像データの数に一致してもよいし、評価値の数に一致してもよい。なお、以下では、「画像数」は算出された評価値の数と一致するものとして説明する。
【００９９】
一例を挙げると、表示制御機能１３５ｈは、まず、「ＳＤ値」について複数の区分（例えば、「５」刻みの区分）を設定し、取得機能１３５ｇが取得した各「ＳＤ値」を、いずれかの区分に分類する。例えば、表示制御機能１３５ｈは、「区分（２．５〜７．５）」、「区分（７．５〜１２．５）」、「区分（１２．５〜１７．５）」、「区分（１７．５〜２２．５）」、「区分（２２．５〜２７．５）」、「区分（２７．５〜３２．５）」、「区分（３２．５〜３７．５）」、「区分（３７．５〜４２．５）」といった８つの区分を設け、各「ＳＤ値」をいずれかの区分に分類する。例えば、表示制御機能１３５ｈは、図２に示す「ＳＤ値」のうち、「１０」を「区分（７．５〜１２．５）」に分類し、「２０」を「区分（１７．５〜２２．５）」に分類する。
【０１００】
次に、表示制御機能１３５ｈは、各区分に分類された「ＳＤ値」の数をグラフ上にプロットする。例えば、「区分（７．５〜１２．５）」に分類された「ＳＤ値」の数が「７」だった場合、表示制御機能１３５ｈは、図７のグラフにおいて、横軸「ＳＤ値」が「区分（７．５〜１２．５）」の中心を表す「１０」であり、縦軸「画像数」が「７」である位置にプロットをする。また、例えば、「区分（１２．５〜１７．５）」に分類された「ＳＤ値」の数が「１４」だった場合、表示制御機能１３５ｈは、図７のグラフにおいて、横軸「ＳＤ値」が「区分（１２．５〜１７．５）」の中心を表す「１５」であり、縦軸「画像数」が「１４」である位置にプロットをする。そして、表示制御機能１３５ｈは、各プロットを折れ線や曲線で結ぶことにより、図７に示すグラフを生成し、ディスプレイ１３２に表示する。
【０１０１】
表示制御機能１３５ｈは、図７に示すように、プロトコルＣを用いて収集されたＣＴ画像データについて算出されたＳＤ値に基づくグラフと、プロトコルＤを用いて収集されたＣＴ画像データについて算出されたＳＤ値に基づくグラフとを重ねて表示させる。ＳＤ値を個別に比較する場合は、プロトコルＤを用いて収集されたＣＴ画像データについて算出されたＳＤ値が、プロトコルＣを用いて収集されたＣＴ画像データについて算出されたＳＤ値よりも小さくなる場合もあるが、図７に示すようにＳＤ値をグラフ表示し、ピークの位置を比較すると、統計的には、プロトコルＣを用いた方がプロトコルＤを用いた場合よりも小さいＳＤ値を得られると判断することができる。また、図７に示すようにＳＤ値を表示し、各グラフの範囲（「ＳＤ値」の最大値と最小値の差など）や形状（グラフの角度など）を比較すると、統計的に、各検査プロトコルによってどの程度安定したＳＤ値が得られるかを判断することができる。即ち、評価値を検査プロトコルごとにグラフ表示することで、検査プロトコルを統計的に評価することができる。
【０１０２】
なお、図７に示すグラフは、ディスプレイ１３２に表示されている図２のリストに代えて表示されてもよいし、図２のリストと併せてディスプレイ１３２に表示される場合であってもよい。また、Ｘ線ＣＴ装置１００が複数のディスプレイ１３２を備える場合、図７に示すグラフは、図２のリストを表示させているディスプレイ１３２と別のディスプレイ１３２に表示される場合であってもよい。
【０１０３】
次に、第３の実施形態に係る評価値のグラフ表示の別の例について、図８を用いて説明する。図８は、第３の実施形態に係る表示例を示す図である。図８に示すように、表示制御機能１３５ｈは、横軸を「ＳＤ値」とし、縦軸を「画像数」としたグラフをディスプレイ１３２に表示させる。なお、図７においては、一つの検査プロトコルに対し、一つのグラフが対応するが、図８においては、複数の検査プロトコルに対し、一つのグラフが対応する。
【０１０４】
まず、受付機能１３５ｆは、複数の検査プロトコルを選択する選択操作を受け付ける。例えば、受付機能１３５ｆは、内容の一部が共通する複数の検査プロトコルや、Ｘ線ＣＴ装置又はその一部（例えば、ＣＴ画像データのアーチファクトを低減するために用いられるフィルタ）の製造者が同一である複数の検査プロトコルを選択する選択操作を受け付ける。なお、以下では、かかる複数の検査プロトコルを、検査プロトコル群とも記載する。
【０１０５】
一例を挙げると、受付機能１３５ｆは、Ｘ線ＣＴ装置の製造者の入力を受け付けることにより、入力された製造者により製造されたＸ線ＣＴ装置により用いられる検査プロトコル群を選択する選択操作を受け付ける。ここで、受付機能１３５ｆは、複数の検査プロトコル群を選択する選択操作を受け付ける場合であってもよい。なお、以下では、受付機能１３５ｆが、検査プロトコルを選択する選択操作として、「Ａ社」と入力する操作、及び、「Ｂ社」と入力する操作を受け付けた場合について説明する。即ち、以下では、「Ａ社」により製造されたＸ線ＣＴ装置により用いられる検査プロトコル群と、「Ｂ社」により製造されたＸ線ＣＴ装置により用いられる検査プロトコル群とが選択された場合について説明する。
【０１０６】
次に、取得機能１３５ｇは、選択された検査プロトコル群に係る複数の評価値を取得する。例えば、取得機能１３５ｇは、「Ａ社」により製造されたＸ線ＣＴ装置により用いられる検査プロトコルのいずれかを用いて収集されたＣＴ画像データについて算出された評価値を、記憶回路１３４から取得する。また、取得機能１３５ｇは、「Ｂ社」により製造されたＸ線ＣＴ装置により用いられる検査プロトコルのいずれかを用いて収集されたＣＴ画像データについて算出された評価値を、記憶回路１３４から取得する。
【０１０７】
そして、表示制御機能１３５ｈは、図８に示すように、取得機能１３５ｇが取得した評価値を、検査プロトコル群ごとにグラフ表示させる。図８のグラフは、「Ａ社」により製造されたＸ線ＣＴ装置により用いられる検査プロトコルのいずれかを用いて収集されたＣＴ画像データの方が、「Ｂ社」により製造されたＸ線ＣＴ装置により用いられる検査プロトコルのいずれかを用いて収集されたＣＴ画像データよりも、統計的に、ＳＤ値が小さくなることを示している。図８に示すグラフは、例えば、病院がＸ線ＣＴ装置を導入する際の指針として用いられる。
【０１０８】
次に、第３の実施形態に係るＸ線ＣＴ装置１００による処理の手順の一例を、図９を用いて説明する。図９は、第３の実施形態に係るＸ線ＣＴ装置１００の処理の一連の流れを説明するためのフローチャートである。ステップＳ４０１は、抽出機能１３５ｄに対応するステップである。ステップＳ４０２は、抽出機能１３５ｄ及び算出機能１３５ｅに対応するステップである。ステップＳ４０３は、受付機能１３５ｆ、取得機能１３５ｇ及び表示制御機能１３５ｈに対応するステップである。ステップＳ４０４は、受付機能１３５ｆに対応するステップである。ステップＳ４０５は、取得機能１３５ｇに対応するステップである。ステップＳ４０６は、表示制御機能１３５ｈに対応するステップである。
【０１０９】
まず、処理回路１３５は、被検体ＰからＣＴ画像データを収集し、記憶回路１３４に格納する。次に、処理回路１３５は、記憶回路１３４からＣＴ画像データを取得する（ステップＳ４０１）。次に、処理回路１３５は、取得したＣＴ画像データについて、対象部位に対応する領域の評価値を算出し、算出した評価値と、ＣＴ画像データの収集に用いた検査プロトコルとを対応付ける（ステップＳ４０２）。次に、処理回路１３５は、操作者からの要求に応じて評価値及び検査プロトコルを対応付けて表示する（ステップＳ４０３）。
【０１１０】
ここで、処理回路１３５は、操作者から、検査プロトコルの選択を受け付ける（ステップＳ４０４）。なお、選択される検査プロトコルは、「プロトコルＣ」のような検査プロトコルの個々であってもよいし、「Ａ社により製造されたＸ線ＣＴ装置により用いられる検査プロトコル」のような検査プロトコル群であってもよい。次に、処理回路１３５は、選択された検査プロトコルを用いて収集されたＣＴ画像データについて算出された、複数の評価値を記憶回路１３４から取得する（ステップＳ４０５）。
【０１１１】
そして、処理回路１３５は、取得した複数の評価値を、検査プロトコルごとにグラフ表示し（ステップＳ４０６）、処理を終了する。なお、ステップＳ４０６における「検査プロトコルごとに表示」には、「プロトコルＣ」のような検査プロトコルの個々を単位として表示する場合と、「Ａ社により製造されたＸ線ＣＴ装置により用いられる検査プロトコル」のような検査プロトコル群を単位として表示する場合とが含まれる。
【０１１２】
上述したように、第３の実施形態によれば、受付機能１３５ｆは、表示制御機能１３５ｈが評価値と対応付けて表示させた検査プロトコルのうち少なくとも一つを選択する選択操作を受け付ける。また、取得機能１３５ｇは、選択された検査プロトコルに係る複数の評価値を取得する。また、表示制御機能１３５ｈは、取得機能１３５ｇが取得した複数の評価値を、検査プロトコルごとにグラフ表示させる。従って、第３の実施形態に係るＸ線ＣＴ装置１００は、ＣＴ画像データについて算出された対象部位に対応する領域の評価値を用いて、検査プロトコルを統計的に評価することを可能にする。一例を挙げると、第３の実施形態に係るＸ線ＣＴ装置１００は、検査プロトコルの統計的な評価に基づき、検査の対象となる部位や病変等に応じた推奨条件を設定したり、既に設定されている推奨条件を修正したり、過去に用いられた検査プロトコルの妥当性を評価したりすることを可能にする。
【０１１３】
なお、上述した実施形態では、図２に示すように評価値と対応付けてリスト表示された複数の検査プロトコルの中から検査プロトコルが選択される場合について説明したが、実施形態はこれに限定されるものではない。例えば、受付機能１３５ｆは、検査プロトコルのみを示すリストにおいて検査プロトコルの選択を受け付けてもよいし、検査プロトコルに、被ばくの程度を表す指標値、再構成時間、患者情報及びＣＴ画像データのうち少なくとも一つが対応付けられたリストにおいて検査プロトコルの選択を受け付けてもよい。
【０１１４】
（第４の実施形態）
さて、これまで第１〜第３の実施形態について説明したが、上述した実施形態以外にも、種々の異なる形態にて実施されてよいものである。
【０１１５】
上述した実施形態では、ＣＴ画像データ（ボリュームデータ）について、対象部位に対応する領域を抽出し、抽出した領域の評価値を算出する場合について説明したが、実施形態はこれに限定されるものではなく、例えば、ＣＴ画像データから各種レンダリング処理により生成された２次元画像データについて、評価値を算出する場合であってもよい。例えば、Ｘ線ＣＴ装置１００は、ＣＴ画像データから生成された２次元画像データについて、対象部位に対応する領域を抽出し、抽出した領域の評価値を算出する。一例を挙げると、Ｘ線ＣＴ装置１００は、２次元画像データのうち対象部位に対応する領域に含まれるピクセルの画素値のＳＤ値を算出する。
【０１１６】
ここで、ＣＴ画像データから生成された２次元画像データが複数ある場合、Ｘ線ＣＴ装置１００は、例えば、２次元画像データごとにＳＤ値を算出し、算出したＳＤ値の平均値や中央値、最頻値等を評価値として算出する。また、例えば、２次元画像データが複数ある場合、Ｘ線ＣＴ装置１００は、各２次元画像データの対象部位に対応する領域を統合し、統合した領域についてのＳＤ値を評価値として算出する。なお、ＣＴ画像データから生成された２次元画像データについて評価値を算出した場合、検査プロトコルには、画像表示条件（例えば、レンダリング処理の種類や、ウィンドウ幅、ウィンドウレベルなど）が含まれる場合であってもよい。
【０１１７】
また、上述した実施形態では、医用画像診断装置がＸ線ＣＴ装置である場合について説明したが、実施形態はこれに限定されるものではない。例えば、実施形態に係る医用画像診断装置は、Ｘ線診断装置や、超音波診断装置、ＭＲＩ（Magnetic  Resonance  Imaging）装置、ＳＰＥＣＴ（Single  Photon  Emission  Computed  Tomography）装置、ＰＥＴ（Positron  Emission  computed  Tomography）装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置等であってもよい。
【０１１８】
例えば、実施形態に係る医用画像診断装置が超音波診断装置である場合、まず、超音波診断装置は、取得した超音波画像データから対象部位に対応する領域を抽出する。次に、超音波診断装置は、抽出した領域の評価値を算出し、算出した評価値と、超音波画像データの収集に用いられた検査プロトコルとを対応付けて記憶する。そして、超音波診断装置は、評価値及び検査プロトコルを対応付けてリスト表示したり、評価値を検査プロトコルごとにグラフ表示したりする。
【０１１９】
なお、実施形態に係る医用画像診断装置が超音波診断装置である場合において、検査プロトコルには、例えば、フィルタの通過帯域や音速、速度レンジ、ゲイン、カラーゲイン、フレームレート、超音波の周波数、超音波の位相（０°〜３６０°）、音圧、視野深度、フォーカス深さ、画角、走査線密度（関心領域（ＲＯＩ：Region  Of  Interest）内の走査線数、又は視野内の走査線数）、ダイナミックレンジ、ステアリング角度（走査線の角度）、操作面の回転角度（０°〜１８０°又は０°〜３６０°）などが含まれる。ここで、フィルタの通過帯域は、例えば、ノイズの除去を目的とし、一定の周波数の範囲として設定される。また、音速は、撮影対象である被検体の体内組織の平均音速として設定された速度（音速値）である。また、速度レンジは、ドプラモードでどの範囲の速度を観察するかを決める値であり、例えば、最大速度及び最低速度が設定される。また、ゲイン及びカラーゲインは、画像全体の明るさや色を決める値である。
【０１２０】
また、例えば、実施形態に係る医用画像診断装置がＰＥＴ装置である場合、まず、ＰＥＴ装置は、取得したＰＥＴ画像から対象部位に対応する領域を抽出する。ここで、ＰＥＴ画像は、陽電子放出核種で標識された薬剤が投与された被検体から対消滅イベントに関するデータを収集し、収集したデータを再構成することで生成される機能画像である。通常、被検体の部位により集積する薬剤の量は異なるため、ＰＥＴ装置は、得られたＰＥＴ画像の各位置における薬剤の集積の程度に基づいて、対象部位に対応する領域を抽出することができる。例えば、ＰＥＴ装置は、ＰＥＴ画像のうち、薬剤が集積しやすい脳や膀胱に対応する領域を抽出することができる。次に、ＰＥＴ装置は、抽出した領域の評価値を算出し、算出した評価値と、ＰＥＴ画像の収集に用いられた検査プロトコルとを対応付けて記憶する。そして、ＰＥＴ装置は、評価値及び検査プロトコルを対応付けてリスト表示したり、評価値を検査プロトコルごとにグラフ表示したりする。
【０１２１】
また、上述した実施形態では、評価値及び検査プロトコルに対応付けて記憶される情報の例として、被ばくの程度を表す指標値、再構成時間、患者情報及びＣＴ画像データについて説明したが、実施形態はこれに限定されるものではない。一例を挙げると、実施形態に係る医用画像診断装置がＭＲＩ装置である場合において、ＭＲＩ装置は、ＭＲ画像のうち対象部位に対応する領域について算出した評価値、及び、ＭＲ画像の収集に用いられた検査プロトコルに、ノイズ（撮像時の騒音の大きさ）や、再構成時間、患者情報及びＭＲ画像などを対応付けて記憶する。
【０１２２】
第１〜第４の実施形態に係る各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況などに応じて、任意の単位で機能的又は物理的に分散・統合して構成することができる。更に、各装置にて行われる各処理機能は、その全部又は任意の一部が、ＣＰＵ及び当該ＣＰＵにて解析実行されるプログラムにて実現され、あるいは、ワイヤードロジックによるハードウェアとして実現されうる。
【０１２３】
また、第１〜第４の実施形態で説明した制御方法は、予め用意された制御プログラムをパーソナルコンピュータやワークステーション等のコンピュータで実行することによって実現することができる。この制御プログラムは、インターネット等のネットワークを介して配布することができる。また、この制御プログラムは、ハードディスク、フレキシブルディスク（ＦＤ）、ＣＤ−ＲＯＭ、ＭＯ、ＤＶＤ等のコンピュータで読み取り可能な記録媒体に記録され、コンピュータによって記録媒体から読み出されることによって実行することもできる。
【０１２４】
以上説明した少なくとも一つの実施形態によれば、医用画像の収集に用いる検査プロトコルを適切に評価することができる。
【０１２５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２６】
１００  Ｘ線ＣＴ装置
１３５  処理回路
１３５ａ  制御機能
１３５ｂ  前処理機能
１３５ｃ  画像再構成機能
１３５ｄ  抽出機能
１３５ｅ  算出機能
１３５ｆ  受付機能
１３５ｇ  取得機能
１３５ｈ  表示制御機能
【図１】
2018064715.tif 000003
【図２】
2018064715.tif 000004
【図３】
2018064715.tif 000005
【図４】
2018064715.tif 000006
【図５】
2018064715.tif 000007
【図６】
2018064715.tif 000008
【図７】
2018064715.tif 000009
【図８】
2018064715.tif 000010
【図９】
2018064715.tif 000011
【手続補正書】
【提出日】平成29年7月4日(2017.7.4)
【手続補正１】
【補正対象書類名】明細書
【補正対象項目名】０００５
【補正方法】変更
【補正の内容】
【０００５】
実施形態の医用画像診断装置は、記憶部と、受付部と、取得部と、表示制御部とを備える。記憶部は、医用画像における被検体の対象部位と当該医用画像が取得される検査プロトコルとの組み合わせに対応付けて、前記医用画像中の前記対象部位の画質に関する評価値を記憶する。受付部は、検索条件の入力を受け付ける。取得部は、前記記憶部から前記検索条件に当てはまる前記検査プロトコルを検索する。表示制御部は、前記検索条件に基づいた複数の前記検査プロトコルを前記評価値とともに表示させる。
【手続補正２】
【補正対象書類名】特許請求の範囲
【補正対象項目名】全文
【補正方法】変更
【補正の内容】
【特許請求の範囲】
【請求項１】
医用画像における被検体の対象部位と当該医用画像が取得される検査プロトコルとの組み合わせに対応付けて、前記医用画像中の前記対象部位の画質に関する評価値を記憶する記憶部と、
検索条件の入力を受け付ける受付部と、
前記記憶部から前記検索条件に当てはまる前記検査プロトコルを検索する取得部と、
前記検索条件に基づいた複数の前記検査プロトコルを前記評価値とともに表示させる表示制御部と、
を備える、医用画像診断装置。
【請求項２】
前記受付部は、被検体の前記対象部位に関する検索条件の入力を受け付ける、請求項１に記載の医用画像診断装置。
【請求項３】
前記医用画像中の前記対象部位に対応する領域を抽出する抽出部と、
前記領域に対応する前記評価値を算出する算出部とを更に備える、請求項１又は２に記載の医用画像診断装置。
【請求項４】
前記抽出部は、前記医用画像に含まれる解剖学的な特徴点の位置を特定し、特定した前記特徴点の位置に基づいて、前記領域を抽出する、請求項３に記載の医用画像診断装置。
【請求項５】
前記算出部は、前記領域に含まれるボクセルの画素値の標準偏差値を前記評価値として算出する、請求項３又は４に記載の医用画像診断装置。
【請求項６】
前記医用画像は、Ｘ線を用いて収集された画像データであり、
前記記憶部は、更に、前記Ｘ線による被ばくの程度を表す指標値を、前記評価値及び前記検査プロトコルと対応付けて記憶し、
前記表示制御部は、更に、入力された検索条件を満たす前記指標値を、前記評価値及び前記検査プロトコルに対応付けて表示させる、請求項１乃至５のいずれか一項に記載の医用画像診断装置。
【請求項７】
医用画像における被検体の対象部位と当該医用画像が取得される検査プロトコルとの組み合わせに対応付けて、前記医用画像中の前記対象部位の画質に関する評価値を記憶する記憶部と、
検索条件の入力を受け付ける受付部と、
前記記憶部から前記検索条件に当てはまる前記検査プロトコルを検索する取得部と、
前記評価値に基づいて検索された検査プロトコルを表示させる表示制御部と、
を備える、医用画像診断装置。
【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
医用画像における被検体の対象部位と当該医用画像が取得される検査プロトコルとの組み合わせに対応付けて、前記医用画像中の前記対象部位の画質に関する評価値を記憶する記憶部と、
検索条件の入力を受け付ける受付部と、
前記記憶部から前記検索条件に当てはまる前記検査プロトコルを検索する取得部と、
前記検索条件に基づいた複数の前記検査プロトコルを前記評価値とともに表示させる表示制御部と、
を備える、医用画像診断装置。
【請求項２】
前記受付部は、被検体の前記対象部位に関する検索条件の入力を受け付ける、請求項１に記載の医用画像診断装置。
【請求項３】
前記医用画像中の前記対象部位に対応する領域を抽出する抽出部と、
前記領域に対応する前記評価値を算出する算出部とを更に備える、請求項１又は２に記載の医用画像診断装置。
【請求項４】
前記抽出部は、前記医用画像に含まれる解剖学的な特徴点の位置を特定し、特定した前記特徴点の位置に基づいて、前記領域を抽出する、請求項３に記載の医用画像診断装置。
【請求項５】
前記算出部は、前記領域に含まれるボクセルの画素値の標準偏差値を前記評価値として算出する、請求項３又は４に記載の医用画像診断装置。
【請求項６】
前記表示制御部は、前記検索条件に基づいた複数の前記検査プロトコルを、前記評価値とともに、前記評価値に応じた順序で表示させる、請求項１乃至５のいずれか一項に記載の医用画像診断装置。
【請求項７】
前記医用画像は、Ｘ線を用いて収集された画像データであり、
前記記憶部は、更に、前記Ｘ線による被ばくの程度を表す指標値を、前記評価値及び前記検査プロトコルと対応付けて記憶し、
前記表示制御部は、更に、入力された検索条件を満たす前記指標値を、前記評価値及び前記検査プロトコルに対応付けて表示させる、請求項１乃至６のいずれか一項に記載の医用画像診断装置。
【請求項８】
前記記憶部は、更に、前記医用画像の再構成時間を、前記評価値及び前記検査プロトコルと対応付けて記憶し、
前記取得部は、更に、入力された検索条件を満たす前記再構成時間を取得し、
前記表示制御部は、前記取得部が取得した前記再構成時間を、前記評価値及び前記検査プロトコルに対応付けて表示させる、請求項１乃至７のいずれか一項に記載の医用画像診断装置。
【請求項９】
前記記憶部は、更に、前記医用画像の患者情報を、前記評価値及び前記検査プロトコルと対応付けて記憶し、
前記取得部は、更に、入力された検索条件を満たす前記患者情報を取得し、
前記表示制御部は、更に、前記取得部が取得した前記患者情報を、前記評価値及び前記検査プロトコルに対応付けて表示させる、請求項１乃至８のいずれか一項に記載の医用画像診断装置。
【請求項１０】
前記記憶部は、更に、前記医用画像を、前記評価値及び前記検査プロトコルと対応付けて記憶し、
前記表示制御部は、更に、前記医用画像を、前記評価値及び前記検査プロトコルに対応付けて表示させる、請求項１乃至９のいずれか一項に記載の医用画像診断装置。
【請求項１１】
前記受付部は、更に、前記表示制御部が前記評価値と対応付けて表示させた前記検査プロトコルのうち少なくとも一つを選択する選択操作を受け付け、
前記取得部は、更に、選択された前記検査プロトコルに係る複数の前記評価値を取得し、
前記表示制御部は、更に、前記取得部が取得した複数の前記評価値を、前記検査プロトコルごとにグラフ表示させる、請求項１乃至１０のいずれか一項に記載の医用画像診断装置。
【請求項１２】
医用画像における被検体の対象部位と当該医用画像が取得される検査プロトコルとの組み合わせに対応付けて、前記医用画像中の前記対象部位の画質に関する評価値を記憶する記憶部と、
検索条件の入力を受け付ける受付部と、
前記記憶部から前記検索条件に当てはまる前記検査プロトコルを検索する取得部と、
前記評価値に基づいて検索された検査プロトコルを表示させる表示制御部と、
を備える、医用画像診断装置。
【請求項１３】
医用画像における被検体の対象部位と当該医用画像が取得される検査プロトコルとの組み合わせに対応付けて、前記医用画像中の前記対象部位の画質に関する評価値を記憶する記憶部と、
前記検査プロトコルのうち少なくとも一つを選択する選択操作を受け付ける受付部と、
選択された前記検査プロトコルに係る複数の前記評価値を取得する取得部と、
前記取得部が取得した複数の前記評価値を、前記検査プロトコルごとにグラフ表示させる表示制御部と、
を備える、医用画像診断装置。